(57)【要約】【課題】電源に対して複数台の電気負荷機器を並列接続して電力を同期給電して並列運転する電気負荷システムにおいて各電気負荷機器に接続される各電源線の断線や接続不良等の電源線異常を簡易かつ低コストで検出可能にする電気負荷機器の電源線異常検出方法を提供する。【解決手段】各電気負荷機器（５，７）に並列接続される電源線（１５ａ−１５ｃ，１７ａ−１７ｃ）の電流による磁界に基づいて電源線全体の電流を電源線異常検出手段（１３）により検出し，その検知電流値が，基準電流値（Ｉｒｅｆ．）以下の場合には各電源線（１５ａ−１５ｃ，１７ａ−１７ｃ）が正常導通と判断して各電気負荷機器（５，７）に対する電力の同期給電を継続して並列運転させる一方，上記検知電流値が基準電流値（Ｉｒｅｆ．）以上の場合には，各電源線（１５ａ−１５ｃ，１７ａ−１７ｃ）のいずれかが導通異常と判断して各電気負荷機器（５，７）に対する電力の同期給電を遮断して並列運転を停止させる。【選択図】図１
2020137241.tif 000002
【特許請求の範囲】
【請求項１】
電源に複数台の電気負荷機器を並列接続し，各電気負荷機器に対して電力を同期給電して並列運転させる電気負荷システムにおいて，
各電気負荷機器に並列接続される電源線の電流による磁界に基づいて電源線全体の電流を電源線異常検出手段により検出し，その検知電流値が，基準電流値以下の場合には各電源線が正常導通と判断して各電気負荷機器に対する電力の同期給電を継続して並列運転させる一方，上記検知電流値が基準電流値以上の場合には，各電源線のいずれかが導通異常と判断して各電気負荷機器に対する交流電力の同期給電を遮断して並列運転を停止させる電気負荷システムの電源線異常検出方法。
【請求項２】
請求項１において，
電源線異常検出手段は，コアの中空部に挿通された各電源線を流れる電流により発生する磁界を検出して検知電流を出力する磁気検出型とした電気負荷システムの電源線異常検出方法。
【請求項３】
請求項２において，
各電気負荷機器の電源線は，コアの中空部内に対して互い違いの電流方向になるように挿通し，電源線異常検出手段により電源線全体の電流を磁気検出する電気負荷システムの電源線異常検出方法。
【請求項４】
請求項１乃至３のいずれかにおいて，
電源は，各位相が１２０度ずれた三相交流電源とすると共に電気負荷機器は，三相交流電力により駆動される三相交流電気負荷機器とした電気負荷システムの電源線異常検出方法。
【請求項５】
請求項４において，
コアの中空部内に対し，各三相交流電気負荷機器の電源線が互い違いの電流方向で，かつ各三相交流電気負荷機器における１相の電源線が他の２相の電源線と電流方向が反対方向になるように挿通し，電源線異常検出手段により電源線全体の電流を磁気検出する電気負荷システムの電源線異常検出方法。
【請求項６】
請求項１乃至３のいずれかにおいて，
電源は，２線単相交流電源とすると共に電気負荷機器は，単相交流電力により駆動される２線単相交流電気負荷機器とした電気負荷システムの電源線異常検出方法。
【請求項７】
請求項６において，
各２線単相交流電気負荷機器の電源線は，コアの中空部内に対して互い違いの電流方向になるように挿通し，電源線異常検出手段により電源線全体の電流を磁気検出する電気負荷システムの電源線異常検出方法。
【請求項８】
請求項１乃至３のいずれかにおいて，
電源は，直流電源とすると共に電気負荷機器は，直流電力により駆動される直流電気負荷機器とした電気負荷システムの電源線異常検出方法。
【請求項９】
請求項８において，
各直流電気負荷機器の電源線は，コアの中空部内に対して互い違いの電流方向になるように挿通し，電源線異常検出手段により電源線全体の電流を磁気検出する電気負荷システムの電源線異常検出方法。
【請求項１０】
請求項４乃至９のいずれかにおいて，
電源線異常検出手段により検出される検知電流値は，電源の電源線と電気負荷機器の電源線が正規状態で導通している場合には基準電流値以下に，また電源の電源線と電気負荷機器の電源線が導通不良の場合には基準電流値以上になる電気負荷システムの電源線異常検出方法。
【請求項１１】
請求項１乃至１０のいずれかにおいて，
検知電流値が基準電流値以上で，各電気負荷機器に対する電力の同期給電を遮断した際には，報知手段を作動して電源線異常を報知可能にした電気負荷機器の電源線異常検出方法。
【発明の詳細な説明】
【技術分野】
【０００１】
本発明は、電源(直流電源，単相交流電源及び三相交流電源を含む。また，電気負荷機器がサーボモータの場合には，電源としては，主回路部及び制御回路部から構成される直流又は交流サーボアンプの主回路部から電力を給電する形式を含む。)と複数の電気負荷機器を並列接続した電気負荷システムにおける電源線の断線や接続不良等の電源線異常を検出する電源線異常検出方法に関する。
【背景技術】
【０００２】
例えば電源としての三相交流電源に接続された各種電気負荷機器としての交流電動機器にあっては，特許文献１に示すように位相が異なる３つの相（Ｒ相，Ｓ相，Ｔ相）で構成される三相交流電力を給電する３本の電源線（配電線）の末端にそれぞれ接続され，無効電力を発生する無効電力発生部に流れる電流を検出する電流検出部及び各電流検出部により検出される電流値に基づいて配電線が断線しているか否かを判定する断線判定部を備えた断線検出装置をそれぞれ設け，各電流検出部により検出される電流値が予め定める基準電流値未満の場合には，対応する配電線が断線していると判定して交流電動機器が異常電流による過熱により焼損したり，トルク異常により動作不良になったりするのを防止している。
【０００３】
そして高負荷の装置（設備）を駆動する際に，例えば三相交流電源に対し，高出力の三相交流電動機器の代わりに低出力で定格が等しい複数台の三相交流電動機器を並列接続して三相交流電力を同期給電して並列運転する電気負荷システムを構成する場合がある。このような電気負荷システムにおいては，各三相交流電動機器に接続される各相の電源線の断線や接続不良を検知するには，三相交流電動機器毎に，各相の電源線に各特許文献１の断線検出装置を取り付け，各三相交流電動機器における各相の電源線の断線や接続不良等の電源線異常を検出可能にしている。
【０００４】
しかし，上記した三相交流の電気負荷システムにおいて電源線の異常を検出するには，三相交流電動機器毎に各相分の断線検出装置を設けなければならず，電気負荷システム全体では（三相交流電動機器の設置台数×３）台の断線検出装置を必要とするため，電気負荷システムの構成が複雑化すると共にシステム自体が高コスト化する問題を有している。
【０００５】
なお，電気負荷システムの電源を直流電源や単相交流電源，また電気負荷機器を直流電気負荷機器や単相交流電気負荷機器とする場合においても，上記と同様な問題が生じている。
【先行技術文献】
【特許文献】
【０００６】
【特許文献１】特開２０１６-２７３０６号公報
【発明の概要】
【発明が解決しようとする課題】
【０００７】
解決しようとする問題点は、電源に対して複数台の電気負荷機器を並列接続して電力を同期給電して並列運転する電気負荷システムにおいて電源線の断線や接続不良等の電源線異常を検出するには，電気負荷機器毎に各電線に断線検出装置を設ける必要があり，断線検出装置の設置台数が増大して電気負荷システムが複雑化すると共に高コスト化する点にある。
【課題を解決するための手段】
【０００８】
本発明の第１態様は，電源に複数台の電気負荷機器を並列接続し，各電気負荷機器に対して電力を同期給電して並列運転させる電気負荷システムにおいて，各電気負荷機器に並列接続される電源線の電流による磁界に基づいて電源線全体の電流を電源線異常検出手段により検出し，その検知電流値が，基準電流値以下の場合には各電源線が正常導通と判断して各電気負荷機器に対する電力の同期給電を継続して並列運転させる一方，上記検知電流値が基準電流値以上の場合には，各電源線のいずれかが導通異常と判断して各電気負荷機器に対する交流電力の同期給電を遮断して並列運転を停止させることを最も主要な特徴とする。
【０００９】
本発明の第２態様は，第１態様において電源線異常検出手段を，コアの中空部に挿通された各電源線に流れる電流により発生する磁気を検出して検知電流を出力する電磁検出型としたことを最も主要な特徴とする。
【００１０】
本発明の第３態様は，第２態様において各電気負荷機器の電源線を，コアの中空部内に対して互い違いの電流方向になるように挿通し，電源線異常検出手段により電源線全体の電流を電磁検出することを最も主要な特徴とする。
【００１１】
本発明の第４態様は，第１乃至第３態様のいずれかにおいて電源を，各位相が１２０度ずれた三相交流電源とすると共に電気負荷機器は，三相交流電力により駆動される三相交流電気負荷機器としたことを最も主要な特徴とする。
【００１２】
本発明の第５態様は，第４態様においてコアの中空部内に対し，各三相交流電気負荷機器の電源線が互い違いの電流方向で，かつ各三相交流電気負荷機器における１相の電源線が他の２相の電源線と電流方向が反対方向になるように挿通し，電源線異常検出手段により電源線全体の電流を電磁検出することを最も主要な特徴とする。
【００１３】
本発明の第６態様は，第１乃至第３態様のいずれかにおいて電源を，２線単相交流電源とすると共に電気負荷機器は，単相交流電力により駆動される２線単相交流電気負荷機器としたことを最も主要な特徴とする。
【００１４】
本発明の第７態様は，第６態様において各２線単相交流電気負荷機器の電源線を，コアの中空部内に対して互い違いの電流方向になるように挿通し，電源線異常検出手段により電源線全体の電流を電磁検出することを最も主要な特徴とする。
【００１５】
本発明の第８態様は，第１乃至第３態様のいずれかにおいて電源を，直流電源とすると共に電気負荷機器は，直流電力により駆動される直流電気負荷機器としたことを最も主要な特徴とする。
【００１６】
本発明の第９態様は，第８態様において各直流電気負荷機器の電源線を，コアの中空部内に対して互い違いの電流方向になるように挿通し，電源線異常検出手段により電源線全体の電流を電磁検出することを最も主要な特徴とする。
【００１７】
本発明の第１０態様は，第４乃至第９態様のいずれかにおいて電源線異常検出手段により検出される検知電流値を，電源の電源線と電気負荷機器の電源線が正規状態で導通している場合には基準電流値以下に，また電源の電源線と電気負荷機器の電源線が導通不良の場合には基準電流値以上になることを最も主要な特徴とする。
【００１８】
本発明の第１１態様は，第１乃至第１０態様のいずれかにおいて検知電流値が基準電流値以上で，各電気負荷機器に対する電力の同期給電を遮断した際には，報知手段を作動して電源線異常を報知可能にしたことを最も主要な特徴とする。
【発明の効果】
【００１９】
本発明は、電源に対して複数台の電気負荷機器を並列接続して電力を同期給電して並列運転させる電気負荷システムにおいて，各電気負荷機器に接続される各電源線の断線や接続不良等の電源線異常を簡易かつ低コストで検出可能にすることができる。
【図面の簡単な説明】
【００２０】
【図１】電気負荷システムを三相交流電気負荷システムとした場合の電源線異常検出方法の概略を示す説明図である。
【図２】電源線異常検出手段を示す説明図である。
【図３】（Ａ）は電源線が正常状態の場合の検知電流値を示す説明図である。（Ｂ）は断信号の出力状態を示す説明図である。
【図４】（Ａ）は電源線が異常状態の場合の検知電流値を示す説明図である。（Ｂ）は断信号の出力状態を示す説明図である。
【図５】実施例２に係る２線単相交流電気負荷システムの電源線異常検出方法の概略を示す説明図である。
【図６】実施例３に係る直流電気負荷システムの電源線異常検出方法の概略を示す説明図である。
【発明を実施するための形態】
【００２１】
各電気負荷機器に並列接続される電源線の電流による磁界に基づいて電源線全体の電流を電源線異常検出手段により検出し，その検知電流値が，基準電流値以下の場合には各電源線が正常導通と判断して各電気負荷機器に対する電力の同期給電を継続して並列運転させる一方，上記検知電流値が基準電流値以上の場合には，各電源線のいずれかが導通異常と判断して各電気負荷機器に対する交流電力の同期給電を遮断して並列運転を停止させることを最良の実施形態とする。
【実施例１】
【００２２】
以下、本発明を三相交流電気負荷システムに実施した実施例１を示す図に従って説明する。
図１に示すように電気負荷システムとしての三相交流電気負荷システム１は，電源としての三相交流電源３（電気負荷機器を三相交流サーボモータとする場合には，主回路部及び制御回路部から構成されるサーボアンプを三相交流電源とする。)に対し，低出力で定格が等しい交流電気負荷機器を構成する第１及び第２三相電動モータ５，７（本例は２台の三相電動モータとするが，本発明はこれに限定されることなく，３台以上であっても実施可能である。）を並列接続し，これら第１及び第２三相電動モータ５，７に対して三相交流電力を同期給電して並列運転させることによりシステム全体として高出力を得るように構成される。
【００２３】
三相交流電気負荷システム１は，上記したように位相が１２０度ずれ，かつ各電圧ベクトルが調整されたＲ相，Ｓ相，Ｔ相の三相交流電源３と，三相交流電源３に対してスイッチング手段１１を介して並列接続されて並列運転される２台の三相電動モータ５，７と，電源線異常検出手段１３とから構成される。なお，三相交流電源３をサーボアンプとする場合にあっては，上記スイッチング手段１１によるＯＮ−ＯＦＦ制御は，サーボアンプの主回路部により実行される。
【００２４】
第１及び第２三相電動モータ５，７の給電部（Ｕ，Ｖ，Ｗ）には，三相交流電源３のＲ相，Ｓ相，Ｔ相からの各電源線１５ａ−１５ｃ，１７ａ−１７ｃが並列接続され，上記スイッチング手段１１のＯＮ―ＯＦＦ制御により第１及び第２三相電動モータ５，７に三相交流電力が同期給電される。
【００２５】
図２に示すように電源線異常検出手段１３は，変流器としてのリング状又は馬蹄状で，貫通型のコア１３ａ中空部内に挿通された電源線１５ａ−１５ｃ，１７ａ−１７ｃに流れる電流により発生する磁界を，該コア１３ａに卷回された検出コイル１３ｂにより検出して検知電流に変換する磁気検出器として構成される。
【００２６】
上記検出コイル１３ｂには，必要に応じて接続される増幅器１３ｃを介して比較回路１３ｄに接続され，該比較回路１３ｄは，検知電流が予め設定された基準電流値Ｉref．以上になった際に，スイッチング手段１１に断信号を出力して第１及び第２三相電動モータ５，７に対する三相交流電力の給電を遮断させると共に該断信号に基づいて警報手段，警告表示手段等の報知手段１３ｅを作動して作業者に電源線異常を報知する。
【００２７】
電源線異常検出手段１３としては，上記のほかに貫通型コアにホール素子を設け，中空部内に挿通される電線周りに発生する磁界により電流を検出するホール素子電流検出手段等，従来公知の電流検出手段であってもよい。
【００２８】
該基準電流値Ｉref．は，第１及び第２三相電動モータ５，７の定格が等しい場合であっても，実際には第１及び第２三相電動モータ５，７のインダクタンスや抵抗値（リアクタンス）に微小のばらつきがあるため，このばらつきを考慮した任意の電流値に設定される。
【００２９】
上記電源線１５ａ−１５ｃ，１７ａ−１７ｃは，コア１３ａの中空部内に対し，以下のように挿通され，電源線異常検出手段１３により各電源線１５ａ−１５ｃ，１７ａ−１７ｃを導通する電流が検出される。
【００３０】
即ち，第１三相電動モータ５の給電部（Ｕ，Ｖ，Ｗ）に接続される電源線１５ａ−１５ｃと第２三相電動モータ７の給電部（Ｕ，Ｖ，Ｗ）に接続される電源線１７ａ−１７ｃは，コア１３ａの中空部に対して電流方向が互い違いになり，かつその内の電源線１５ｂ，１７ｂが他の電源線１５ａ・１５ｃ，１７ａ・１７ｃと反対の電流方向になるように挿通される。
【００３１】
なお，交流電動機器を３台の三相電動モータで構成する場合にあっては，３台目の三相電動モータ給電部に接続される３本の電源線を，コア１３ａの中空部内に対して第１三相電動モータ５の電源線１５ａ−１５ｃと同様に挿通させる。また，交流電動機器を４台の三相電動モータで構成する場合にあっては，４台目の三相電動モータ給電部に接続される３本の電源線を，コア１３ａの中空部内に対して第２三相電動モータ７の電源線１７ａ−１７ｃと同様に挿通させる。
【００３２】
なお，図１及び図２においてコア１３ａに対して破線で示す電源線１５ａ−１５ｃ，１７ａ−１７ｃは，コア１３ａの中空部内を通過している状態を，またコア１３ａに対して実線で示す電源線１５ａ−１５ｃ，１７ａ−１７ｃは，コア１３ａの中空部外（外周側）に位置している状態をそれぞれ示す。
【００３３】
次に，上記三相交流電気負荷システム１における電源線異常検出方法を説明する。
先ず，電源線１５ａ−１５ｃ，１７ａ−１７ｃのいずれもが非断線で，正常に導通している場合や，各三相電動モータ５，７，９の各給電部（Ｕ，Ｖ，Ｗ）に対して対応するそれぞれの電源線１５ａ−１５ｃ，１７ａ−１７ｃ，１９ａ−１９ｃが電気的接続が正常な場合においては，コア１３ａの中空部内に挿通された各相の電源線１５ａ−１５ｃ，１７ａ−１７ｃを流れる電流の位相がそれぞれ１２０度，ずれているため，各電源線１５ａ−１５ｃ，１７ａ−１７ｃの周りに発生する磁界により励起される検出コイル１３ｂからの検知電流値が原理的に“０”になる。
【００３４】
但し，第１及び第２三相電動モータ５．７の定格が等しい場合であっても，インダクタンスや抵抗値（リアクタンス）に微小のばらつきがあり，検知電流値が必ずしも“０”ではなく，上記した基準電流値Ｉｒｅｆ．以下の微弱電流値になることがあるため，本発明においては，電源線１５ａ−１５ｃ，１７ａ−１７ｃが正常に接続されている際の検知電流値を基準電流値Ｉｒｅｆ．以下の近似的“０”と表現する。
【００３５】
この場合においては，電源線異常検出手段１３により検出される検知電流値が基準電流値Ｉref．以下の近似的“０”であるため，比較回路１３ｄは，スイッチング手段１１に対して断信号がＯＦＦ（ＬＯＷ）状態に維持されることにより第１及び第２三相電動モータ５，７に対する三相交流電力の同期給電を継続して並列運転させる。（図３（Ａ），（Ｂ）参照）
【００３６】
一方，電源線１５ａ−１５ｃ，１７ａ−１７ｃのいずれかが断線して非導通の場合や，第１及び第２三相電動モータ５，７の各給電部（Ｕ，Ｖ，Ｗ）に対する電源線１５ａ−１５ｃ，１７ａ−１７ｃの電気的接続が不良の場合においては，各電源線１５ａ−１５ｃ，１７ａ−１７ｃのいずれかが欠相して非平衡状態になり，電源線異常検出手段１３により検出される検知電流値が上記基準電流値Ｉｒｅｆ．以上に遷移する。
【００３７】
この場合においては，電源線異常検出手段１３により検出される検知電流値が基準電流値Ｉref．以上であるため，比較回路１３ｄからの断信号がＯＮ（ＨＩＧＨ）に遷移されることにより第１及び第２三相電動モータ５，７に対する三相交流電力の同期給電を遮断して並列運転を停止させると共に該断信号に基づいて報知手段１３ｅを作動して作業者に電源線異常を報知させる。（図４（Ａ），（Ｂ）参照）
【００３８】
なお，電源線異常検出手段１３により準電流値Ｉref．以上の検知電流が検出された際には，電源線１５ａ−１５ｃ，１７ａ−１７ｃのいずれかが断線しているか，また第１及び第２三相電動モータ５，７の各給電部（Ｕ，Ｖ，Ｗ）に対する電源線１５ａ−１５ｃ，１７ａ−１７ｃの接続不良がいずれかであるかを特定できないが，第１及び第２三相電動モータ５，７に対する三相交流電力の同期給電を遮断することにより第１及び第２三相電動モータ５，７における励磁コイルの焼損や出力異常を防止することができる。
【００３９】
本実施例は，１台の電源線異常検出手段１３により各電源線１５ａ−１５ｃ，１７ａ−１７ｃを流れる電流による磁界を磁気検出し，その検知電流値に基づいて電源線１５ａ−１５ｃ，１７ａ−１７ｃの断線や接続不良等の電源線異常を検出することができ，各相の電源線に断線検出装置を設けて電源線異常を検出する従来の電源線異常検出方法に比べて簡易，かつ低コストで電源線異常を検出することができる。
【実施例２】
【００４０】
実施例１は，交流電源として三相交流電源，交流電動機器を三相電動モータとする三相交流電気負荷システムにより説明したが，実施例２は，電源を単相交流電源，電気負荷機器を単相交流電動モータにより構成される単相交流電気負荷システムとして説明する。なお，実施例１と同一の部材に付いては，同一の符号を付して説明を省略する。
【００４１】
図５に示すように，単相交流電気負荷システム２１は，電源としての単相交流電源２３（交流電気負荷機器を単相交流サーボモータとする場合には，主回路部及び制御回路部から構成されるサーボアンプを交流電源とする。)に対し，低出力で定格が等しい電気負荷機器としての第１及び第２単相交流電動モータ２５，２７（本例は２台の単相交流電動モータとするが，本発明はこれに限定されることなく，３台以上であっても実施可能である。）を並列接続し，これら第１及び第２単相交流電動モータ２５，２７に対して単相交流電力を同期給電して並列運転させることによりシステム全体として高出力を得るように構成される。
【００４２】
この場合にあっても，単相交流電源２１と第１及び第２単相交流電動モータ２５，２７を並列接続する電源線２９ａ・２９ｂ，３１ａ・３１ｂは，コア１３ａの中空部内に対し，以下のように挿通され，電源線異常検出手段１３により各電源線２９ａ・２９ｂ，３１ａ・３１ｂの電流が検出される。
【００４３】
即ち，第１単相交流電動モータ２５の給電部（Ａ，Ｂ）に接続される電源線２９ａ・２９ｂは，コア１３ａの中空部に対して電流方向が互い違いになるようにそれぞれ挿通される。また，第２単相交流電動モータ２７の給電部（Ａ，Ｂ）に接続される電源線３１ａ・３１ｂは，コア１３ａの中空部に対して電源線３１ａが上記電源線２９ａの電流方向と反対方向に，また電源線３１ｂが上記電源線２９ｂの電流方向と反対方向に電流が流れるようにそれぞれ挿通される。
【００４４】
なお，交流電気負荷機器を３台の単相交流電動モータで構成する場合にあっては，３台目の単相交流電動モータの給電部に接続される２本の電源線を，コア１３ａの中空部内に対して１台目の第１単相交流電動モータ２５の電源線２９ａ・２９ｂと同様に挿通させる。また，交流電動機器を４台の単相交流電動モータで構成する場合にあっては，４台目の単相交流電動モータの給電部に接続される２本の電源線を，コア１３ａの中空部内に対して２台目の第２単相交流電動モータ２７の電源線３１ａ・３１ｂと同様に挿通させる。
【００４５】
交流電動機器を第１及び第２単相交流電動モータ２５，２７とする場合であっても，各電源線２９ａ・２９ｂ，３１ａ・３１ｂに流れる電流がコア１３ａの中空部内を通る際に各相の位相がそれぞれ１８０度，ずれているため，各電源線２９ａ・２９ｂ，３１ａ・３１ｂが非断線又は接続が正常の場合には，各電線２９ａ・２９ｂ，３１ａ・３１ｂの電流により発生する磁界が平衡状態で，検出コイル１３ｂに励起されて検出される検知電流値が基準電流値Ｉｒｅｆ．以下の近似的“０”になり，第１及び第２単相交流電動モータ２５，２７に対する交流電力の給電を継続して並列運転させる。
【００４６】
反対に各電源線２９ａ・２９ｂ，３１ａ・３１ｂが断線又は接続不良の場合には，各電線２９ａ・２９ｂ，３１ａ・３１ｂの電流により発生する磁界が非平衡状態に遷移し，検出コイル１３ｂに励起されて検出される検知電流値が基準電流値Ｉｒｅｆ．以上になり，比較回路１３ｄからの断信号がＯＮ（ＨＩＧＨ）に遷移することにより第１及び第２単相交流電動モータ２５，２７に対する単相交流電力の同期給電を遮断すると共に該断信号に基づいて報知手段１３ｅを作動して作業者に電源線異常を報知させる。
【実施例３】
【００４７】
実施例１及び２は，交流電源（三相交流電源及び単相交流電源），交流電気負荷機器（三相交流電動モータ及び単相交流電動モータ）により構成される電気負荷システムに基づいて説明したが，実施例３は，電源を直流電源，電気負荷機器を直流電動モータにより構成される直流電気負荷システムに基づいて説明する。なお，実施例１と同一の部材に付いては，同一の符号を付して説明を省略する。
【００４８】
図６に示すように，直流電気負荷システム４１は，電源としての直流電源４３（直流電気負荷機器を直流サーボモータとする場合には，主回路部及び制御回路部から構成されるサーボアンプを直流電源とする。)に対し，低出力で定格が等しい直流電気負荷機器としての第１及び第２直流電動モータ４５・４７（本例は２台の直流電動モータとするが，本発明はこれに限定されることなく，３台以上であっても実施可能である。）を並列接続し，これら第１及び第２直流電動モータ４５・４７に対して直流電力を同期給電して並列運転させることによりシステム全体として高出力を得るように構成される。
【００４９】
この場合にあっても，直流電源４３と第１及び第２直流電動モータ４５・４７を並列接続する電源線４９ａ・４９ｂ，５１ａ・５１ｂは，コア１３ａの中空部内に対し，以下のように挿通され，電源線異常検出手段１３により各電源線４９ａ・４９ｂ，５１ａ・５１ｂを流れる電流が検出される。
【００５０】
即ち，第１直流電動モータ４５の給電部（Ａ，Ｂ）に接続される電源線４９ａ・４９ｂは，コア１３ａの中空部に対して電流方向が互い違いになるようにそれぞれ挿通される。また，第２直流電動モータ４７の給電部（Ａ，Ｂ）に接続される電源線５１ａ・５１ｂは，コア１３ａの中空部に対して電源線５１ａが上記電源線４９ａの電流方向と反対方向に，また電源線５１ｂが上記電源線４９ｂの電流方向と反対方向に電流が流れるようにそれぞれ挿通される。
【００５１】
なお，直流電気負荷機器を３台の直流電動モータで構成する場合にあっては，３台目の直流電動モータの給電部に接続される２本の電源線を，コア１３ａの中空部内に対して１台目の第１直流電動モータ４５の電源線４９ａ・４９ｂと同様に挿通させる。また，直流電気負荷機器を４台の直流電動モータで構成する場合にあっては，４台目の直流電動モータの給電部に接続される２本の電源線を，コア１３ａの中空部内に対して２台目の第２直流電動モータ４７の電源線５１ａ・５１ｂと同様に挿通させる。
【００５２】
直流電気負荷機器を第１及び第２直流電動モータ４５，４７とする場合であっても，コア１３ａの中空部内に挿通された各電源線４９ａ・４９ｂ，５１ａ・５１ｂの内，例えば電源線４９ａ・５１ａが正（プラス），電源線４９ｂ・５１ｂが負（マイナス）とすると，各電源線４９ａ・４９ｂ，５１ａ・５１ｂが非断線又は接続が正常の場合には，各電線４９ａ・４９ｂ，５１ａ・５１ｂの電流により発生する磁界が平衡状態で，検出コイル１３ｂに励起されて検出される検知電流値が基準電流値Ｉｒｅｆ．以下の近似的“０”になり，第１及び第２直流電動モータ４５，４７に対する直流電力の給電を継続して並列運転させる。
【００５３】
反対に各電源線４９ａ・４９ｂ，５１ａ・５１ｂが断線又は接続不良の場合には，各電線４９ａ・４９ｂ，５１ａ・５１ｂの電流により発生する磁界が非平衡状態に遷移して検出コイル１３ｂに励起されて検出される検知電流値が基準電流値Ｉｒｅｆ．以上になり，比較回路１３ｄからの断信号がＯＮ（ＨＩＧＨ）に遷移することにより第１及び第２直流電動モータ４５，４７に対する直流電力の同期給電を遮断すると共に該断信号に基づいて報知手段１３ｅを作動して作業者に電源線異常を報知させる。
【００５４】
実施例１乃至３においては，電気負荷機器として電動モータ（三相交流電動モータ，２線単相交流電動モータ，直流電動モータ）により説明したが，本発明の電気負荷機器としては，高出力の電気負荷機器の代わりに低出力で定格が等しい複数台の電気負荷機器を並列接続して並列運転させることにより所定の高出力を得るのに適した電磁石(電磁ソレノイド)，電気ヒータ等のいずれであってもい。
【符号の説明】
【００５５】
１  電気負荷システムとしての三相交流電気負荷システム
３  電源としての三相交流電源
５，７，９  電気負荷機器としての三相電動モータ
１１  スイッチング手段
１３  電源線異常検出手段
１３ａ  コア
１３ｂ  検出コイル
１３ｃ  増幅器
１３ｄ  比較回路
１３ｅ  報知手段
１５ａ−１５ｃ，１７ａ−１７ｃ  電源線
Ｕ，Ｖ，Ｗ  給電部
Ｉｒｅｆ．  基準電流値
２１  電気負荷システムとしての単相交流電気負荷システム
２３  電源としての２線単相交流電源
２５，２７  電気負荷機器としての第１及び第２単相交流電動モータ
２９ａ・２９ｂ，３１ａ・３１ｂ  電源線
４１  電気負荷システムとしての直流電気負荷システム
４３  電源としての直流電源
４５・４７  電気負荷機器としての第１及び第２直流電動モータ
４９ａ・４９ｂ，５１ａ・５１ｂ  電源線
Ａ，Ｂ  給電部
【図１】
2020137241.tif 000003
【図２】
2020137241.tif 000004
【図３】
2020137241.tif 000005
【図４】
2020137241.tif 000006
【図５】
2020137241.tif 000007
【図６】
2020137241.tif 000008